(57)【要約】【課題】より学習効率が向上する電子機器、その電子機器の制御方法及び動作制御用のプログラムを提供する。【解決手段】電子機器１は、頭部筐体３ａと、第１音声データと、第２音声データと、を音声として出力する音声出力手段８と、頭部筐体３ａを点灯させる点灯手段６と、音声出力手段８による第１音声データの音声出力中は、複数色のうちから設定された設定色で頭部筐体３ａを点灯手段６により点灯又は点滅させるとともに、音声出力手段８による第２音声データの音声出力中は、設定色とは異なる色で頭部筐体３ａを点灯手段６により点灯又は点滅させる点灯制御手段と、を備える。【選択図】図２
2018055078.tif 000002
【特許請求の範囲】
【請求項１】
頭部筐体と、
第１音声データと、第２音声データと、を音声として出力する音声出力手段と、
前記頭部筐体を点灯させる点灯手段と、
前記音声出力手段による前記第１音声データの音声出力中は、複数色のうちから設定された設定色で前記頭部筐体を前記点灯手段により点灯又は点滅させるとともに、前記音声出力手段による前記第２音声データの音声出力中は、前記設定色とは異なる色で前記頭部筐体を前記点灯手段により点灯又は点滅させる点灯制御手段と、を備える、
電子機器。
【請求項２】
前記第１音声データは、ユーザが習得する課題の教材音声データであり、
前記第２音声データは、前記第１音声データの音声出力の前後に音声出力される応対音声データを含むユーザとの応対音声データである、
請求項１に記載の電子機器。
【請求項３】
前記点灯手段は、前記頭部筐体の側面の同一高さで同方向に並んで設けられる複数の光源を含む側面点灯手段である、
請求項１又は２に記載の電子機器。
【請求項４】
ユーザの音声を入力する音声入力手段を備え、
前記点灯制御手段は、前記音声入力手段による音声を受け付けるときに、前記第１音声データ及び前記第２音声データの音声出力中の色と異なる色で前記側面点灯手段を点滅させる、
請求項３に記載の電子機器。
【請求項５】
前記音声入力手段による音声を受け付けるときの前記点灯制御手段による前記側面点灯手段の点滅の前に、ユーザに音声の入力を促す情報を報知する、
請求項４に記載の電子機器。
【請求項６】
前記電子機器は、前記頭部筐体の上部を点灯させる上部点灯手段を、備える、
請求項１から５までのいずれか１項に記載の電子機器。
【請求項７】
ユーザ操作を検知するセンサを備え、
前記点灯制御手段は、前記センサによる前記ユーザ操作を受け付けるときに、前記第１音声データ及び前記第２音声データの音声出力中の色と異なる色で前記上部点灯手段を点滅させる、
請求項６に記載の電子機器。
【請求項８】
前記センサによる前記ユーザ操作を受け付けるときの前記点灯制御手段による前記上部点灯手段の点滅の前に、ユーザにユーザ操作を促す情報を報知する、
請求項７に記載の電子機器。
【請求項９】
通信機器と通信する通信手段と、
前記通信機器と通信接続して前記通信機器の操作に応じて前記電子機器を制御する通信制御手段と、を備え、
前記点灯制御手段は、前記通信制御手段によって前記電子機器が制御されている場合、前記上部点灯手段を点滅させるときの色と異なる色で前記上部点灯手段を点滅させる、
請求項７又は請求項８に記載の電子機器。
【請求項１０】
前記電子機器は、
複数種類の通信方式で通信機器と通信する通信手段を備え、
前記点灯制御手段は、前記通信手段による第１の通信方式の通信中は、複数色のうちから設定された上部設定色で前記上部を前記上部点灯手段により点灯させるとともに、前記通信手段による第２の通信方式の通信中は、前記上部設定色とは異なる色で前記上部を前記上部点灯手段により点灯させる、
請求項６に記載の電子機器。
【請求項１１】
前記第１の通信方式は、前記通信機器と直接通信する直接通信方式であり、
前記第２の通信方式は、前記通信機器と中継器を仲介して通信する仲介通信方式である、
請求項１０に記載の電子機器。
【請求項１２】
前記電子機器は、前記頭部筐体を支える下部筐体を、備え、
前記下部筐体には、音声出力手段が設けられる、
請求項１から１１までのいずれか１項に記載の電子機器。
【請求項１３】
電子機器の制御方法であって、
前記電子機器は、
頭部筐体と、
第１音声データと、第２音声データと、を音声として出力する音声出力手段と、
前記頭部筐体を点灯させる点灯手段と、を備えており、
前記音声出力手段による前記第１音声データの音声出力中は、複数色のうちから設定された設定色で前記頭部筐体を前記点灯手段により点灯又は点滅させるとともに、前記音声出力手段による前記第２音声データの音声出力中は、前記設定色とは異なる色で前記頭部筐体を前記点灯手段により点灯又は点滅させる、
制御方法。
【請求項１４】
電子機器の動作制御用プログラムであって、
前記電子機器は、第１音声データと、第２音声データと、を音声として出力する音声出力手段と、頭部筐体を複数色のうちのいずれかの色で点灯させる点灯手段と、点灯制御手段と、を備えており、
前記点灯制御手段に、
前記音声出力手段による前記第１音声データの音声出力中は、複数色のうちから設定された設定色で前記頭部筐体を前記点灯手段により点灯又は点滅させるとともに、前記音声出力手段による前記第２音声データの音声出力中は、前記設定色とは異なる色で前記頭部筐体を前記点灯手段により点灯又は点滅させる、機能を実現させる、
プログラム。
【発明の詳細な説明】
【技術分野】
【０００１】
本発明は、電子機器、その電子機器の制御方法及び動作制御用のプログラムに関するものである。
【背景技術】
【０００２】
ユーザと対話しながら英会話レッスンなどの学習を行う電子機器（学習装置）が知られている（例えば、特許文献１参照）。この種の電子機器は、ユーザが習得する課題の教材音声（第１音声）を出力するだけでなく、学習を進行させるためなどの応対音声（第２音声）を出力するようになっている。例えば、教材学習の開始又は終了などを知らせる応対音声「レッスンスタート」、「レッスン終了」、「次のレッスンに進みますか？」など簡潔なものや、教材学習としてではなく、日常会話として「調子はどうですか？」などの教材音声以外の応対音声が出力される。
【先行技術文献】
【特許文献】
【０００３】
【特許文献１】特開２０１３−０２００３０号公報
【発明の概要】
【発明が解決しようとする課題】
【０００４】
しかしながら、教材音声及び応対音声の内容が複雑になってくると、ユーザが音声を聴きとるだけでは、いずれの音声を出力中であるのか区別つき難いため、第１音声（教材音声）と第２音声（応対音声）との誤認により学習効率が低下することがあった。
【０００５】
本発明は、このような事情に鑑みなされたものであり、より学習効率が向上する電子機器、その電子機器の制御方法及び動作制御用のプログラムを提供することを目的とする。
【課題を解決するための手段】
【０００６】
上記目的を達成するために、本発明は、以下の構成により把握される。
本発明の電子機器は、頭部筐体と、第１音声データと、第２音声データと、を音声として出力する音声出力手段と、前記頭部筐体を点灯させる点灯手段と、前記音声出力手段による前記第１音声データの音声出力中は、複数色のうちから設定された設定色で前記頭部筐体を前記点灯手段により点灯又は点滅させるとともに、前記音声出力手段による前記第２音声データの音声出力中は、前記設定色とは異なる色で前記頭部筐体を前記点灯手段により点灯又は点滅させる点灯制御手段と、を備える。
【０００７】
本発明の電子機器の制御方法は、電子機器の制御方法であって、前記電子機器は、頭部筐体と、第１音声データと、第２音声データと、を音声として出力する音声出力手段と、前記頭部筐体を点灯させる点灯手段と、を備えており、前記音声出力手段による前記第１音声データの音声出力中は、複数色のうちから設定された設定色で前記頭部筐体を前記点灯手段により点灯又は点滅させるとともに、前記音声出力手段による前記第２音声データの音声出力中は、前記設定色とは異なる色で前記頭部筐体を前記点灯手段により点灯又は点滅させる。
【０００８】
本発明の電子機器用のプログラムは、電子機器の動作制御用プログラムであって、前記電子機器は、第１音声データと、第２音声データと、を音声として出力する音声出力手段と、頭部筐体を複数色のうちのいずれかの色で点灯させる点灯手段と、点灯制御手段と、を備えており、前記点灯制御手段に、前記音声出力手段による前記第１音声データの音声出力中は、複数色のうちから設定された設定色で前記頭部筐体を前記点灯手段により点灯又は点滅させるとともに、前記音声出力手段による前記第２音声データの音声出力中は、前記設定色とは異なる色で前記頭部筐体を前記点灯手段により点灯又は点滅させる、機能を実現させる。
【発明の効果】
【０００９】
本発明によれば、より学習効率が向上する電子機器、その電子機器の制御方法及び動作制御用のプログラムを提供することができる。
【図面の簡単な説明】
【００１０】
【図１】本発明の第１実施形態に係る電子機器の構成を示すブロック図である。
【図２】本発明の第１実施形態に係る電子機器を示す図であり、（ａ）は電子機器の正面図、（ｂ）は電子機器の背面図である。
【図３】本発明の第１実施形態に係る電子機器を第１の通信方式で通信機器と接続する場合の設定手順を示す説明図である。
【図４】本発明の第１実施形態に係る電子機器を第２の通信方式で通信機器と接続する場合の設定手順を示す説明図である。
【図５】本発明の第１実施形態に係る電子機器と接続された通信機器の表示例を示す図であり、（ａ）は基本学習のメニュー画面を示す図、（ｂ）は反復トレーニングの初期画面を示す図、（ｃ）は反復トレーニングの学習中画面を示す図である。
【図６】本発明の第１実施形態に係る電子機器の点灯パターンを示す説明図である。
【図７】本発明の第１実施形態に係る電子機器の制御手順（前段部分：通信方式設定手段、点灯制御手段）を示すフローチャートである。
【図８】本発明の第１実施形態に係る電子機器の制御手順（後段部分：学習実施手段、通信制御手段、点灯制御手段）を示すフローチャートである。
【図９】本発明の第２実施形態に係る電子機器の点灯パターンを示す説明図である。
【図１０】（ａ）〜（ｇ）は本発明の第２実施形態に係る電子機器の動作状態の遷移例を示す説明図である。
【図１１】本発明の第２実施形態に係る電子機器の側面点灯手段をまばたき動作させるための制御例を示す説明図である。
【図１２】本発明の第２実施形態に係る電子機器の制御手順（前段部分：通信制御手段、点灯制御手段）を示すフローチャートである。
【図１３】本発明の第２実施形態に係る電子機器の制御手順（中段部分：学習実施手段、点灯制御手段）を示すフローチャートである。
【図１４】本発明の第２実施形態に係る電子機器の制御手順（後段部分：学習実施手段、点灯制御手段）を示すフローチャートである。
【発明を実施するための形態】
【００１１】
以下、本発明を実施するための形態（以下、「実施形態」という）を、添付図面に基づいて詳細に説明する。
なお、実施形態の説明の全体を通して同じ要素には同じ符号を付している。
【００１２】
［第１実施形態］
図１及び図２に示す電子機器１は、ユーザと対話しながら英会話レッスンなどの学習を行う学習装置であり、電子機器１と相互通信接続可能なスマートフォン、パーソナルコンピュータなどの通信機器２を補助装置として用いるものである。
【００１３】
電子機器１を説明する前に、通信機器２について説明すると、通信機器２は、専用アプリをインストールすることにより、教材コンテンツの学習項目一覧、進捗率、実施の有無などを表示する表示手段、習得したい学習項目を入力する入力手段、電子機器１の更新プログラムや追加コンテンツを専用のサーバからダウンロードして電子機器１に送信するダウンロード手段、などとして機能するようになっている。
【００１４】
本実施形態の電子機器１は、筐体３と、タッチセンサ４と、上部点灯手段５と、側面点灯手段６と、音声入力手段７と、音声出力手段８と、電源ボタン９と、通信ボタン１０と、音量ボタン１１、１２と、通信手段１３と、記憶媒体読取部１４と、記憶部１５と、制御部１６と、を備える。
【００１５】
筐体３は、頭部筐体３ａと、頭部筐体３ａを支える下部筐体３ｂと、を備える。本実施形態の筐体３は、小型のロボットを模した形状であり、半透明材料からなる半球状の頭部筐体３ａでロボットの頭部を形成し、円筒状の下部筐体３ｂでロボットの胴部及び脚部を形成している。
【００１６】
頭部筐体３ａの内部には、タッチセンサ４、上部点灯手段５及び側面点灯手段６などが設けられており、下部筐体３ｂの内部には、音声入力手段７及び音声出力手段８などが設けられており、下部筐体３ｂの表面には、電源ボタン９、通信ボタン１０及び音量ボタン１１、１２などが設けられている。なお、これら以外の制御部１６なども、筐体３の内部に設けられている。
【００１７】
タッチセンサ４は、頭部筐体３ａの上部に対するユーザのタッチ操作を検出するセンサであり、例えば、静電容量の変化に基づいてタッチ操作を検出する静電容量センサを用いて構成されている。
【００１８】
上部点灯手段５は、頭部筐体３ａの上部を点灯させる光源である。本実施形態の上部点灯手段５は、カラーＬＥＤを用いて構成されており、複数の発光色（例えば、赤色Ｒ、青色Ｂ、緑色Ｇ、黄色Ｙなど）による点灯表示及び点滅表示が可能となっている。ここで点灯表示とは、途中で消灯することなく一定時間継続して発光することを意味する。より具体的には、本体の設定状態に応じて、頭部筐体３ａの上部が点灯状態にされると、継続して点灯することを意味する。ただし途中に短時間の非点灯状態が含まれても全体の５パーセント以下の非点灯時間であれば、点灯状態であるとする。また点滅表示とは、頭部筐体３ａの上部が点灯されて一定時間（たとえば３秒）以内に消灯され、消灯状態から一定時間（たとえば３秒）以内に点灯され、それを繰りかえす表示状態を意味する。
【００１９】
側面点灯手段６は、頭部筐体３ａの側面の同一高さで同方向に並んで設けられる複数の光源であり、小型のロボットを模した本実施形態の筐体３では、ロボットの目としてユーザに認識される。本実施形態の側面点灯手段６は、上部点灯手段５と同様にカラーＬＥＤを用いて構成されており、複数の発光色（例えば、赤色Ｒ、青色Ｂ、緑色Ｇ、黄色Ｙなど）による点灯表示及び点滅表示が可能となっている。ここで目の点滅表示とは、頭部筐体３ａの側面の複数の光源の側面点灯手段６が点灯されて一定時間（たとえば２秒）以内に消灯され、消灯状態から一定時間（たとえば２秒）以内に点灯され、それを繰りかえす表示状態を意味する。具体的には、後述のように側面点灯手段６の点滅が目のまばたき（ブリンク）に見えるように側面点灯手段６を点灯制御する。なお目の点滅表示についても、同じ時間間隔で点灯と消灯を繰り返すようにしても良い。
【００２０】
音声入力手段７は、ユーザの発声した音声が入力されるマイクであり、音声出力手段８は、ユーザが習得する課題の教材音声（第１音声）や学習を進行させるためなどの応対（応答）音声（第２音声）を出力するスピーカである。
【００２１】
下部筐体３ｂの背面側（側面点灯手段６の略反対側）には、電源ボタン９、通信ボタン１０及び音量ボタン１１、１２などが配置されている。電源ボタン９は、電子機器１の電源をＯＮ／ＯＦＦ操作するための押釦スイッチであり、通信ボタン１０は、無線通信のＯＮ／ＯＦＦ操作（通常押し操作）や後述する通信方式の切り替え操作（長押し操作）を行うための押釦スイッチであり、音量ボタン１１、１２は、音声出力手段８の音量設定を行うための押釦スイッチである。
【００２２】
通信手段１３は、通信機器２やルータなどの中継器１７との間で無線通信（例えば、Ｗｉ−Ｆｉ接続）を行う。通信手段１３の通信方式には、通信機器２と直接通信する直接通信方式である第１の通信方式と、中継器１７を仲介して通信機器２と通信する仲介通信方式である第２の通信方式と、が少なくとも含まれる。
【００２３】
記憶媒体読取部１４は、外部の記憶媒体１８（例えば、ＵＳＢメモリ）を接続可能であり、接続された記憶媒体１８の記憶データ（例えば、更新プログラムや教材の追加コンテンツなど）を読み取る。
【００２４】
記憶部１５は、制御部１６を動作させる制御用プログラム及びその更新プログラム、英会話レッスンなどの教材コンテンツ、各教材コンテンツに係るユーザの学習実施データ（進捗率、実施の有無など）などを記憶する。
【００２５】
制御部１６は、記憶部１５に記憶された制御用プログラムに応じて動作し、電子機器１の各部を制御する。具体的には、ソフトウェア（制御用プログラム）とハードウェア（電子機器１の各部）との協働により、通信方式設定手段、学習実施手段、通信制御手段、点灯制御手段などの機能的な手段を実現させる。
【００２６】
通信方式設定手段は、ユーザによる電子機器１、通信機器２及び中継器１７の操作に応じて、第１の通信方式と第２の通信方式との複数種類の通信方式を切り替える機能を実現させる。本実施形態における第１の通信方式は、通信機器２と直接通信する、Ｗｉ−Ｆｉ接続のアクセスポイントモード（ＡＰモード）である。ＡＰモードでは、電子機器１が通信機器２を専有するため、ＡＰモードでの学習中は、通信機器２では他のアプリを使ったデータ通信（Ｗｉ−Ｆｉ経由のメール受信など）が行えなくなるが、他のアプリに妨害されることなく学習に専念することができる。
【００２７】
一方、本実施形態における第２の通信方式は、中継器１７を仲介して通信機器２と通信する、Ｗｉ−Ｆｉ接続のクライアントモード（ＣＬＩモード）である。ＣＬＩモードでは、電子機器１が通信機器２を専有しないため、ＣＬＩモードでの学習中であっても、通信機器２では他のアプリを使ったデータ通信が許容されるが、学習中に他のアプリがデータ通信を実行できるため、学習が妨害されることもある。
【００２８】
本実施形態の電子機器１では、デフォルトの通信方式が第１の通信方式であり、後述する設定手順に基づいて第１の通信方式と第２の通信方式との選択的な切り替えが行われ、選択中の通信方式は電源ボタン９のＯＮ／ＯＦＦに拘らず保持される。
【００２９】
第２の通信方式から第１の通信方式に切り替える場合や、逆に第１の通信方式から第２の通信方式に切り替える場合は、図３又は図４に示すように、無線通信をＯＮとした状態で、電子機器１の通信ボタン１０を長押し操作（例えば、５秒以上の押し操作）する。これにより、電子機器１の通信方式が第２の通信方式から第１の通信方式に、あるいは、第１の通信方式から第２の通信方式に切り換わる。このとき、本実施形態では、切り替えられた通信方式を音声（例えば、「アクセスポイントモードだよ」、「クライアントモードだよ」など。）で通知する。
【００３０】
第１の通信方式（ＡＰモード）の場合、通信機器２の設定画面に一覧表示される無線通信の接続先の中から電子機器１を選択した後、パスワード入力画面で所定のパスワードを入力する。その後、専用アプリを起動すると、第１の通信方式で電子機器１の認証が行われ、第１の通信方式による通信機器２と電子機器１との無線通信が可能になる。
【００３１】
一方、第２の通信方式（ＣＬＩモード）の場合、中継器１７のＷＰＳボタン１７ａを押し操作した後、通信機器２の設定画面に一覧表示される無線通信の接続先の中から中継器１７を選択する。その後、専用アプリを起動すると、第２の通信方式により中継器１７を介して電子機器１の認証が行われ、第２の通信方式による通信機器２と電子機器１との無線通信が可能になる。
【００３２】
ユーザは、第１の通信方式（ＡＰモード）及び第２の通信方式（ＣＬＩモード）のうち現在選択されている通信方式を認識しつつ、通信方式の切り替えを必要に応じて行うことになる。しかしながら、現在選択されている通信方式は、通信機器２の設定画面を開いて確認する必要があるので、通信方式の認識が簡単でなく、切り替えを失敗することもある。
【００３３】
そこで、本実施形態の電子機器１は、このような問題を解決するために点灯制御手段（通信別点灯制御手段）を備える。点灯制御手段は、図６に示すように、通信手段１３による第１の通信方式の通信中は、頭部筐体３ａの上部を、複数色のうちから設定された上部設定色（例えば、第１通信方式設定色＝青色Ｂ）で上部点灯手段５により点灯させるとともに、通信手段１３による第２の通信方式の通信中は、頭部筐体３ａの上部を、上部設定色とは異なる色（例えば、第２通信方式設定色＝緑色Ｇ）で上部点灯手段５により点灯させる。
【００３４】
これにより、ユーザは、頭部筐体３ａの上部の点灯色に基づいて現在選択されている通信方式を認識することができ、また、必要に応じて通信方式の切り替えを行うことができる。なお、本実施形態では、さらに、上部点灯手段５の消灯により無線通信のＯＦＦ状態を報知するとともに、上部点灯手段５の点滅によりタッチ操作待ち状態を報知している。また、上記の第１通信方式設定色及び第２通信方式設定色とは、異なる色を上部点灯手段５で点灯させて、それぞれの状態を報知してもよい。
【００３５】
学習実施手段及び通信制御手段は、電子機器１の制御プログラム及び通信機器２のアプリの協働により、教材コンテンツの内容に沿った対話式の学習を実施する。例えば、通信機器２で専用アプリを起動し、英会話レッスンの教材コンテンツを選択すると、図５の（ａ）に示すように、英会話レッスンの基本学習メニューを示す画面が表示される。この画面では、基本学習全体の進捗率（例えば、２０％）が表示されるとともに、基本学習に含まれる学習項目が一覧表示される。学習項目には、同じ学習内容を繰り返し学習する反復トレーニングと、学習内容をユーザが発音しながら学習する発音レッスンと、文法や語彙を学習する文法語彙レッスンと、が含まれており、各学習項目の個別の進捗率（例えば、２５％、１０％、１０％）も表示される。なお、反復トレーニング、発音レッスン及び文法語彙レッスンの学習内容には、読み取り教材、聴き取り教材及び発音（発声）教材などが適宜含まれている。
【００３６】
図５の（ａ）に示すように、学習したい学習項目をタッチ操作で選択すると、選択された学習項目の画面に切り替わる。図５の（ｂ）に示すように、学習項目の画面には、具体的な学習内容が一覧表示されるとともに、各学習内容に係る学習実施の有無や学習結果が表示される。そして、この画面で学習したい学習内容をタッチ操作で選択すると、電子機器１に選択された学習内容の学習開始指示が送信されるとともに、通信機器２に「本体で学習中です」などのメッセージが表示され、選択された学習内容の学習が電子機器１において実施される。
【００３７】
電子機器１は、教材コンテンツに沿った学習を実施するにあたり、ユーザが習得する課題の教材音声データ（第１音声データ）を音声として出力するだけでなく、学習を進行させるためのなどの応対（応答）音声データ（第２音声データ）を音声として出力する。例えば、学習の開始を知らせる応対音声「レッスンスタート」、ユーザ音声の評価結果を知らせる応対音声「ＯＫ」又は「ＮＧ」、学習の終了などを知らせる応対音声「レッスン終了」、「次のレッスンに進みますか？」などのユーザとの応対音声が、教材音声データの音声出力の前後に出力されるが、より高度な内容になると、音声だけでは、いずれの音声を出力中であるのか区別つき難いため、教材音声と応対音声との誤認により学習効率が低下することがあった。
【００３８】
そこで、本実施形態の電子機器１は、このような問題を解決するために点灯制御手段（音声別点灯制御手段）を備える。点灯制御手段は、図６に示すように、音声出力手段８による教材音声データの音声出力中は、頭部筐体３ａの側面を、複数色のうちから設定された側面設定色（例えば、教材音声設定色＝黄色Ｙ）で側面点灯手段６により点灯させるとともに、音声出力手段８による応対音声データの音声出力中は、頭部筐体３ａの側面を、側面設定色とは異なる色（例えば、応対音声設定色＝青色Ｂ）で側面点灯手段６により点灯させる。
【００３９】
これにより、ユーザは、頭部筐体３ａの側面の点灯色に基づいて、現在出力されている音声が教材音声と応対音声のいずれであるかを認識しつつ、学習を効率よく進めることができる。なお、本実施形態では、さらに、側面点灯手段６の側面設定色とは異なる色（例えば、緑色Ｇ）の点滅によりユーザの音声入力待ち状態を報知している。
【００４０】
つぎに、上記の通信方式設定手段、学習実施手段、通信制御手段及び点灯制御手段を実現する電子機器１（制御部１６）の制御手順について、図７及び図８を参照して説明する。なお、図７は、電子機器１の制御手順における通信方式設定手段及び点灯制御手段の部分を示し、図８は、電子機器１の制御手順における学習実施手段、通信制御手段及び点灯制御手段の部分を示している。
【００４１】
図７に示すように、制御部１６は、起動すると、まず、通信ボタン１０の操作を判断する（ステップＳ１）。ここで、通信ボタン１０が操作されたと判断したら（ステップＳ１：ＹＥＳ）、通信ボタン１０の操作が通常の押し操作、長押し操作のいずれであるかを判断し（ステップＳ２）、ここで、通信ボタン１０の操作が長押し操作であると判断したら（ステップＳ２：長押し）、前回の通信方式がＡＰモードであるか否かを判断する（ステップＳ３）。ここで、前回の通信方式がＡＰモードであったと判断したら（ステップＳ３：ＹＥＳ）、通信方式としてＣＬＩモードを設定するための処理を行い（ステップＳ４）、前回の通信方式がＡＰモードではないと判断したら（ステップＳ３：ＮＯ）、通信方式としてＡＰモードを設定するための処理を行う（ステップＳ５）。なお、本実施形態のステップＳ４、Ｓ５には、設定される通信方式を音声で報知する処理が含まれる。
【００４２】
一方、通信ボタン１０の操作が通常の押し操作であると判断したら（ステップＳ２：通常）、前回の通信方式を維持する（ステップＳ６）。そして、ステップＳ４、Ｓ５、Ｓ６のいずれかを実行した後は、設定する通信方式に応じた色（ＡＰモードは第１通信方式設定色の青色Ｂ、ＣＬＩモードは第２通信方式設定色の緑色Ｇ）で頭部筐体３ａの上部（上部点灯手段５）を点灯させ（ステップＳ７）、ステップＳ１に戻る。
【００４３】
図８に示すように、制御部１６は、ステップＳ１において、通信ボタン１０の操作がないと（ステップＳ１：ＮＯ）、通信機器２から学習開始指示を受信したか否かを判断する（ステップＳ８）。ここで、通信機器２から学習開始指示を受信していないと判断したら（ステップＳ８：ＮＯ）、他の処理を実行してからステップＳ１に戻るが、通信機器２から学習開始指示を受信したと判断したら（ステップＳ８：ＹＥＳ）、レッスンを行う教材コンテンツ、実施するレッスン（学習項目）、レッスン開始時の教材音声データなどを設定した後（ステップＳ９）、レッスンを開始する。
【００４４】
レッスンの開始に際しては、まず、頭部筐体３ａの側面（側面点灯手段６）を応対音声設定色である青色Ｂで点灯させた後（ステップＳ１０）、応対音声データであるレッスン開始メッセージ（例えば、「レッスンスタート」など）を音声出力手段８から出力させる（ステップＳ１１）。
【００４５】
つぎに、頭部筐体３ａの側面（側面点灯手段６）を教材音声設定色である黄色Ｙで点灯させた後（ステップＳ１２）、設定された教材音声データを音声出力手段８から出力させる（ステップＳ１３）。つづいて、頭部筐体３ａの側面（側面点灯手段６）を緑色Ｇで点滅させてユーザの音声入力待ち状態であることを報知した後（ステップＳ１４）、ユーザの音声入力があったか否かを判断するとともに（ステップＳ１５）、ユーザの音声が入力されるまでステップＳ１４、Ｓ１５を繰り返す（ステップＳ１５：ＮＯ）。
【００４６】
ここで、ユーザの音声が入力されたら（ステップＳ１５：ＹＥＳ）、ユーザの音声と教材音声データとを対比するにより評価するとともに（ステップＳ１６）、頭部筐体３ａの側面（側面点灯手段６）を応対音声設定色である青色Ｂで点灯させた後（ステップＳ１７）、応対音声データである評価結果メッセージ（例えば、「ＯＫ」又は「ＮＧ」など）を音声出力手段８から出力させる（ステップＳ１８）。
【００４７】
つづいて、次の教材音声データがあるか否かを判断し（ステップＳ１９）、ここで、次の教材音声データがあると判断したら（ステップＳ１９：ＹＥＳ）、次の教材音声データを設定した後（ステップＳ２０）、ステップＳ１２に戻る。一方、次の教材音声データがないと判断したら（ステップＳ１９：ＮＯ）、頭部筐体３ａの側面（側面点灯手段６）を応対音声設定色である青色Ｂで点灯させた後（ステップＳ２１）、応対音声データである学習終了メッセージ（「レッスン終了」、「次のレッスンに進みますか？」など）を音声出力手段８から出力させる（ステップＳ２２）。
【００４８】
さらに、頭部筐体３ａの上部（上部点灯手段５）を点滅させてユーザにタッチ操作を要求するとともに（ステップＳ２３）、ユーザによるタッチ操作の有無を判断し（ステップＳ２４）、タッチ操作があったと判断したら（ステップＳ２４：ＹＥＳ）、次のレッスンの教材音声データを設定した後（ステップＳ２５）、ステップＳ１０に戻る。一方、所定時間経過してもタッチ操作がないと判断したら（ステップＳ２４：ＮＯ）、他の処理を実行した後、ステップＳ１に戻る。
【００４９】
このようにして、電子機器１は、音声出力手段８による教材音声データの音声出力中は、頭部筐体３ａの側面を、側面設定色で側面点灯手段６により点灯させるとともに、音声出力手段８による応対音声データの音声出力中は、頭部筐体３ａの側面を、側面設定色とは異なる色で側面点灯手段６により点灯させる。このように頭部筐体３ａの側面を点灯させることで、教材音声と応対音声とを区別可能にユーザに聴き取らせることができるとともに、ユーザに学習を実施させることができる。
【００５０】
［第２実施形態］
つぎに、本発明の第２実施形態に係る電子機器１について図９〜図１４を参照して説明する。ただし、第１実施形態と共通する構成部分については、第１実施形態と同じ符号を用いることにより、第１実施形態の説明を援用する。
【００５１】
図９及び図１０に示すように、第２実施形態の制御部１６（点灯制御手段）は、電子機器１のスタンバイ状態と、応対音声データ（第２音声データ）の音声出力中である応対音声再生状態と、教材音声データ（第１音声データ）の音声出力中である教材音声再生状態と、ユーザ音声を受け付ける音声入力待ち状態と、ユーザのタッチ操作を受け付けるタッチ入力待ち状態と、ユーザ音声又はユーザのタッチ操作を受け付ける音声又はタッチ操作の入力待ち状態と、を区別し、各状態に応じた点灯パターンで上部点灯手段５及び側面点灯手段６の点灯制御を行い、さらに、スタンバイ状態では、Ｗｉ−Ｆｉ接続がＯＦＦとなっているＷｉ−Ｆｉ接続ＯＦＦ状態と、Ｗｉ−Ｆｉ接続がＯＮで、かつ通信機器２の専用アプリと連携していない第１のＷｉ−Ｆｉ接続ＯＮ状態（アプリ非連携状態）と、Ｗｉ−Ｆｉ接続がＯＮで、かつ通信機器２の専用アプリと連携している第２のＷｉ−Ｆｉ接続ＯＮ状態（アプリ連携状態）と、を区別し、各状態に応じた点灯パターンで上部点灯手段５及び側面点灯手段６の点灯制御を行う。
【００５２】
具体的に説明すると、第２実施形態の制御部１６は、教材音声再生状態では複数色のうちから設定された設定色（黄色Ｙ）で側面点灯手段６を点滅させ（図１０の（ｇ））、応対音声再生状態では教材音声再生状態とは異なる色（青色Ｂ）で側面点灯手段６を点滅させ（図１０の（ａ）、（ｃ）、（ｅ））、音声入力待ち状態では教材音声再生状態及び応対音声再生状態と異なる色（緑色Ｇ）で側面点灯手段６を点滅させ（図１０の（ｂ））、タッチ入力待ち状態では教材音声再生状態及び応対音声再生状態と異なる色（緑色Ｇ）で上部点灯手段５を点滅させ（図１０の（ｆ））、音声又はタッチ操作の入力待ち状態は教材音声再生状態及び応対音声再生状態と異なる色（緑色Ｇ）で上部点灯手段５及び側面点灯手段６を点滅させる（図１０の（ｄ））。
【００５３】
また、第２実施形態の制御部１６は、スタンバイ状態では教材音声再生状態、応対音声再生状態、音声入力待ち状態及び音声又はタッチ操作の入力待ち状態と異なる色（白色Ｗ）で側面点灯手段６を点滅させるとともに、タッチ入力待ち状態及び音声又はタッチ操作の入力待ち状態と異なる色で上部点灯手段５を点滅させるが、Ｗｉ−Ｆｉ接続ＯＦＦ状態とＷｉ−Ｆｉ接続ＯＮ状態とを識別可能とするために、Ｗｉ−Ｆｉ接続ＯＦＦ状態とＷｉ−Ｆｉ接続ＯＮ状態とでは異なる色（白色Ｗ又は青色Ｂ）で上部点灯手段５を点滅させる。さらに、第２実施形態の制御部１６は、第１のＷｉ−Ｆｉ接続ＯＮ状態（アプリ非連携状態）と第２のＷｉ−Ｆｉ接続ＯＮ状態（アプリ連携状態）とを識別可能とするために、第１のＷｉ−Ｆｉ接続ＯＮ状態と第２のＷｉ−Ｆｉ接続ＯＮ状態とでは異なる色の濃さ（薄い青色Ｂ（弱い光）又は濃い青色Ｂ（強い光））で上部点灯手段５を点滅させる。
【００５４】
また、第２実施形態の制御部１６は、側面点灯手段６を点滅させるにあたり、側面点灯手段６の点滅が目のまばたき（ブリンク）に見えるように側面点灯手段６を点灯制御する。具体的には、図１１に示すように、側面点灯手段６を一定間隔ではなく、バラツキを持った間隔（例えば、２秒点灯→０．５秒消灯→２秒点灯→０．５秒消灯→０．５秒点灯→０．５秒消灯の繰り返し）で点滅させることにより、側面点灯手段６の点滅を目のまばたきのように見せる。
【００５５】
つぎに、第２実施形態に係る電子機器１（制御部１６）の制御手順について、図１２〜図１４を参照して説明する。なお、図１２は電子機器１の制御手順の前段部分（通信制御手段、点灯制御手段）を示し、図１３は電子機器１の制御手順の中段部分（学習実施手段、点灯制御手段）を示し、図１４は電子機器１の制御手順の後段部分（学習実施手段、点灯制御手段）を示している。
【００５６】
図１２に示すように、第２実施形態の制御部１６は、まず、スリープからの起動を繰り返し判定し（ステップＳ１０１）、ユーザによる起動操作等により、この判定結果がＹｅｓとなったら（ステップＳ１０１：Ｙｅｓ）、電子機器１（本体）をスタンバイ状態（Ｗｉ−Ｆｉ接続ＯＦＦ状態）に設定した後、上部点灯手段５を白色Ｗで点滅させるとともに、側面点灯手段６を白色Ｗでブリンク（点滅）させる（ステップＳ１０２）。
【００５７】
つぎに、制御部１６は、Ｗｉ−Ｆｉ接続のＯＮ操作を判定し（ステップＳ１０３）、この判定結果がＹｅｓの場合は（ステップＳ１０３：Ｙｅｓ）、Ｗｉ−Ｆｉ接続を実行し、第１のＷｉ−Ｆｉ接続ＯＮ状態（スマホアプリ非連携状態）に移行した後、上部点灯手段５を薄い青色Ｂで点滅させるとともに、側面点灯手段６を白色Ｗでブリンク（点滅）させる（ステップＳ１０４）。
【００５８】
また、制御部１６は、ステップＳ１０３をＮｏと判定した場合（ステップＳ１０３：Ｎｏ）、図１３のステップＳ１１０に移行する。
【００５９】
つぎに、制御部１６は、通信機器２（スマホ）からの連携信号（専用アプリ起動時に送信される連携信号）を受信したか否かを判定し（ステップＳ１０５）、この判定結果がＹｅｓの場合は（ステップＳ１０５：Ｙｅｓ）、通信機器２との連携処理を実行し、第２のＷｉ−Ｆｉ接続ＯＮ状態（スマホアプリ連携状態）に移行した後、上部点灯手段５を濃い青色Ｂで点滅させるとともに、側面点灯手段６を白色Ｗでブリンク（点滅）させる（ステップＳ１０６）。
【００６０】
また、制御部１６は、ステップＳ１０５をＮｏと判定した場合（ステップＳ１０５：Ｎｏ）、図１３のステップＳ１１０に移行する。
【００６１】
つぎに、制御部１６は、通信機器２から学習進捗の問い合わせがあったか否かを判定し（ステップＳ１０７）、この判定結果がＹｅｓの場合は（ステップＳ１０７：Ｙｅｓ）、電子機器１の学習進捗データを通信機器２に送信する（ステップＳ１０８）。
【００６２】
また、制御部１６は、ステップＳ１０８の実行後、又はステップＳ１０７をＮｏと判定した場合（ステップＳ１０７：Ｎｏ）、続いて、通信機器２から「学習するコンテンツ」の選択信号を受信したか否かを判定し（ステップＳ１０９）、この判定結果がＹｅｓ（ステップＳ１０９：Ｙｅｓ）の場合は、図１４のステップＳ１１９に移行する。
【００６３】
また、制御部１６は、所定のタイマ時間が経過してもステップＳ１０９の判定がＹｅｓとならない場合（ステップＳ１０９：Ｎｏ）、他の処理に移行する。
【００６４】
制御部１６は、図１３に示す処理に移行すると、まず、電子機器１を応対音声再生状態に設定し、側面点灯手段６を青色Ｂでブリンク（点滅）させるとともに、上部点灯手段５を消灯させた後（ステップＳ１１０）、「学習するコンテンツ」の音声入力を促す応対音声データ（例えば、「どのレッスンを始めますか？」）を出力する（ステップＳ１１１：図１０の（ａ）参照）。このように音声入力手段７により音声を受け付けるときに、ユーザに音声の入力を促す情報を報知する。そして、このような報知を行った後に、次に説明するように、制御部１６が点灯制御手段として機能して側面点灯手段６の点滅を行う。
【００６５】
具体的には、「どのレッスンを始めますか？」との応対音声データの出力の後に、制御部１６は、電子機器１を音声入力待ち状態に設定し、側面点灯手段６を緑色Ｇでブリンク（点滅）させるとともに、上部点灯手段５を消灯させた後（ステップＳ１１２：図１０の（ｂ）参照）、ユーザによる音声入力を待つ（ステップＳ１１３：Ｎｏ）。なお、ステップＳ１１２に移行する前の状態で上部点灯手段５は消灯状態（ステップＳ１１０参照）になっているので、ステップＳ１１２で言う上部点灯手段５を消灯させた後とは、上部点灯手段５の消灯を維持した後という意味であり、以降の説明においても、既に消灯状態である上で「上部点灯手段５を消灯させた後」と記載されている場合は、消灯を維持することを意味する。
【００６６】
そして、制御部１６は、ユーザによる音声入力（例えば、「レッスン３」）を判定したら（ステップＳ１１３：Ｙｅｓ）、入力音声を認識して「学習するコンテンツ」を決定する（ステップＳ１１４）。
【００６７】
つぎに、制御部１６は、電子機器１を応対音声再生状態に設定し、側面点灯手段６を青色Ｂでブリンク（点滅）させるとともに、上部点灯手段５を消灯させた後（ステップＳ１１５）、「学習するコンテンツ」が認識されたレッスンでよいか否かの確認を促す応対音声データ（例えば、「レッスン３でよければ「はい」と言うか、頭にタッチしてね。」）を出力する（ステップＳ１１６：図１０の（ｃ）参照）。このように音声入力手段７により音声を受け付けるときやタッチセンサ４（単にセンサともいう。）によりユーザ操作（タッチ操作）を受け付けるときに、ユーザに音声の入力やユーザ操作を促す情報を報知する。そして、このような報知を行った後に、次に説明するように、制御部１６が点灯制御手段として機能して側面点灯手段６や上部点灯手段５の点滅を行う。
【００６８】
具体的には、「レッスン３でよければ「はい」と言うか、頭にタッチしてね。」との応対音声データの出力の後に、制御部１６は、電子機器１を音声又はタッチ操作の入力待ち状態に設定し、側面点灯手段６を緑色Ｇでブリンク（点滅）させるとともに、上部点灯手段５を濃い緑色Ｇで早く点滅させた後（ステップＳ１１７：図１０の（ｄ）参照）、タイマ設定されている所定のタイマ時間の間、ユーザによる音声入力又はタッチ操作を待つ（ステップＳ１１８）。
【００６９】
そして、制御部１６は、ユーザによる音声入力又はタッチ操作を判定したら（ステップＳ１１８：Ｙｅｓ）、図１４のステップＳ１１９に移行する一方、所定のタイマ時間が経過してもユーザによる音声入力又はタッチ操作が行われない場合は（ステップＳ１１８：Ｎｏ）、他の処理に移行する。
【００７０】
制御部１６は、図１４に示す処理に移行すると、まず、電子機器１を応対音声再生状態に設定し、側面点灯手段６を青色Ｂでブリンク（点滅）させるとともに、上部点灯手段５を消灯させた後（ステップＳ１１９）、「学習するコンテンツ」のテキストをユーザが読み、その後のタッチ操作を促す応対音声データ（例えば、「レッスン３のテキストを読んでね。読み終わったら頭をタッチしてね。」）を出力する（ステップＳ１２０：図１０の（ｅ）参照）。このようにタッチセンサ４（単にセンサともいう。）によりユーザ操作（タッチ操作）を受け付けるときに、ユーザにユーザ操作を促す情報を報知する。そして、このような報知を行った後に、次に説明するように、制御部１６が点灯制御手段として機能して上部点灯手段５の点滅を行う。
【００７１】
具体的には、「レッスン３のテキストを読んでね。読み終わったら頭をタッチしてね。」との応対音声データの出力の後に、制御部１６は、電子機器１をタッチ操作待ち状態に設定し、上部点灯手段５を濃い緑色Ｇで早く点滅させるとともに、側面点灯手段６を消灯させた後（ステップＳ１２１：図１０の（ｆ）参照）、タイマ設定されている所定のタイマ時間の間、ユーザによるタッチ操作を待つ（ステップＳ１２２）。
【００７２】
そして、制御部１６は、ユーザによるタッチ操作を判定したら（ステップＳ１２２：Ｙｅｓ）、電子機器１を教材音声再生状態に設定し、側面点灯手段６を黄色Ｙでブリンク（点滅）させるとともに、上部点灯手段５を消灯させた後（ステップＳ１２３）、「学習するコンテンツ」の教材音声データ（例えば、レッスン３の教材音声）を出力する（ステップＳ１２４：図１０の（ｇ）参照）。
【００７３】
制御部１６は、教材音声データの出力が終わると、「学習するコンテンツ」の最後のページ（レッスン３の最後のページ）まで終了したか否かを判定し（ステップＳ１２５）、この判定結果がＮｏの場合は（ステップＳ１２５：Ｎｏ）、「学習するコンテンツ」のつぎのページ（レッスン３のつぎのページ）を指定してステップＳ１１９に戻り（ステップＳ１２８）、判定結果がＹｅｓの場合は（ステップＳ１２５：Ｙｅｓ）、Ｗｉ−Ｆｉ接続がＯＮ状態であるか否かや（ステップＳ１２６）、専用アプリと非連携状態であるか否かを判定する（ステップＳ１２７）。なお、ステップＳ１２５の判定結果がＮｏの場合は、上述のように、ステップＳ１２８を経由してステップＳ１１９に戻ることになるので、側面点灯手段６の状態がステップＳ１２３の黄色Ｙでブリング（図１０の（ｇ）参照）している状態からステップＳ１１９の青色Ｂのブリング（図１０の（ｅ）参照）に変わることになる。
【００７４】
そして、制御部１６は、ステップＳ１２６の判定結果がＮｏの場合や（ステップ１２６：Ｎｏ）、ステップＳ１２６の判定結果がＹｅｓ（ステップＳ１２６：Ｙｅｓ）で、かつステップＳ１２７の判定結果がＹｅｓの場合は（ステップＳ１２７：Ｙｅｓ）、ステップＳ１０２に移行し、ステップＳ１２６の判定結果がＹｅｓ（ステップＳ１２６：Ｙｅｓ）で、かつステップＳ１２７の判定結果がＮｏの場合は（ステップＳ１２７：Ｎｏ）、ステップＳ１０６に移行する。
【００７５】
以上のような上記実施形態の電子機器１によれば、ユーザは、上部点灯手段５及び側面点灯手段６の点灯制御に基づいて電子機器１の各種状態を正確に認識しつつ効率良く学習することができる。
【００７６】
また、上記実施形態の電子機器１は、通信機器２の専用アプリと連携することで、通信機器２から「学習するコンテンツ」を選択できるだけでなく、通信機器２の専用アプリと連携することなく、電子機器１単体でも「学習するコンテンツ」を選択できるので、通信機器２の専用アプリとの連携状態に拘らず、効率の良い学習を実現できる。
【００７７】
以上、具体的な実施形態に基づいて本発明の印刷装置について説明してきたが、本発明は、上記の具体的な実施形態に限定されるものではなく、様々な変形や改良を加えたものも本発明の技術的範囲に含まれるものであり、そのことは当業者にとって特許請求の範囲の記載から明らかである。
【００７８】
例えば、上記実施形態では、点灯制御手段が音声別点灯制御手段として機能する場合、点灯手段のうち側面点灯手段６を点灯又は点滅させ、通信別点灯手段として機能する場合、点灯手段のうち上部点灯手段５を点灯又は点滅させたが、それぞれ逆にしてもよい。
【００７９】
上記実施形態の電子機器１は、ユーザ操作を検知するセンサとして静電容量センサからなるタッチセンサ４を備えるが、ユーザ操作を検知するセンサは、静電容量式以外の近接センサ（例えば、誘導式近接センサ、磁気式近接センサなど）を用いてもよいし、接点式の押釦スイッチなどを用いてもよい。
【００８０】
以下に、優先権前の出願の願書に最初に添付した特許請求の範囲に記載した発明を付記する。付記に記載した請求項の項番は、優先権前の出願の願書に最初に添付した特許請求の範囲のとおりである。
＜請求項１＞
頭部筐体と、
第１音声データと、第２音声データと、を音声として出力する音声出力手段と、
前記頭部筐体を点灯させる点灯手段と、
前記音声出力手段による前記第１音声データの音声出力中は、複数色のうちから設定された設定色で前記頭部筐体を前記点灯手段により点灯させるとともに、前記音声出力手段による前記第２音声データの音声出力中は、前記設定色とは異なる色で前記頭部筐体を前記点灯手段により点灯させる音声別点灯制御手段と、を備える、
電子機器。
＜請求項２＞
前記第１音声データは、ユーザが習得する課題の教材音声データであり、
前記第２音声データは、前記第１音声データの音声出力の前後に音声出力される応答音声データを含むユーザとの応答音声データである、
請求項１に記載の電子機器。
＜請求項３＞
前記点灯手段は、前記頭部筐体の側面の同一高さで同方向に並んで設けられる複数の光源を含む側面点灯手段である、
請求項１又は２に記載の電子機器。
＜請求項４＞
前記電子機器は、前記頭部筐体の上部を点灯させる上部点灯手段を、備える、
請求項１から３までのいずれか１項に記載の電子機器。
＜請求項５＞
前記電子機器は、
複数種類の通信方式で通信機器と通信する通信手段と、
前記通信手段による第１の通信方式の通信中は、複数色のうちから設定された上部設定色で前記上部を前記上部点灯手段により点灯させるとともに、前記通信手段による第２の通信方式の通信中は、前記上部設定色とは異なる色で前記上部を前記上部点灯手段により点灯させる通信別点灯制御手段と、を備える、
請求項４に記載の電子機器。
＜請求項６＞
前記第１の通信方式は、前記通信機器と直接通信する直接通信方式であり、
前記第２の通信方式は、前記通信機器と中継器を仲介して通信する仲介通信方式である、
請求項５に記載の電子機器。
＜請求項７＞
ユーザの音声を入力する音声入力手段を、備える、
請求項１から６までのいずれか１項に記載の電子機器。
＜請求項８＞
前記電子機器は、前記頭部筐体を支える下部筐体を、備え、
前記下部筐体には、音声出力手段が設けられる、
請求項１から７までのいずれか１項に記載の電子機器。
＜請求項９＞
電子機器の動作制御用プログラムであって、
前記電子機器は、第１音声データと、第２音声データと、を音声として出力する音声出力手段と、頭部筐体を複数色のうちのいずれかの色で点灯させる点灯手段と、音声別点灯制御手段と、を備えており、
前記音声別点灯制御手段に、
前記音声出力手段による前記第１音声データの音声出力中は、複数色のうちから設定された設定色で前記頭部筐体を前記点灯手段により点灯させるとともに、前記音声出力手段による前記第２音声データの音声出力中は、前記設定色とは異なる色で前記頭部筐体を前記点灯手段により点灯させる、機能を実現させる、
プログラム。
【００８１】
以下に、この出願の願書に最初に添付した特許請求の範囲に記載した発明を付記する。付記に記載した請求項の項番は、この出願の願書に最初に添付した特許請求の範囲のとおりである。
＜請求項１＞
頭部筐体と、
第１音声データと、第２音声データと、を音声として出力する音声出力手段と、
前記頭部筐体を点灯させる点灯手段と、
前記音声出力手段による前記第１音声データの音声出力中は、複数色のうちから設定された設定色で前記頭部筐体を前記点灯手段により点灯又は点滅させるとともに、前記音声出力手段による前記第２音声データの音声出力中は、前記設定色とは異なる色で前記頭部筐体を前記点灯手段により点灯又は点滅させる点灯制御手段と、を備える、
電子機器。
＜請求項２＞
前記第１音声データは、ユーザが習得する課題の教材音声データであり、
前記第２音声データは、前記第１音声データの音声出力の前後に音声出力される応対音声データを含むユーザとの応対音声データである、
請求項１に記載の電子機器。
＜請求項３＞
前記点灯手段は、前記頭部筐体の側面の同一高さで同方向に並んで設けられる複数の光源を含む側面点灯手段である、
請求項１又は２に記載の電子機器。
＜請求項４＞
ユーザの音声を入力する音声入力手段を備え、
前記点灯制御手段は、前記音声入力手段による音声を受け付けるときに、前記第１音声データ及び前記第２音声データの音声出力中の色と異なる色で前記側面点灯手段を点滅させる、
請求項３に記載の電子機器。
＜請求項５＞
前記音声入力手段による音声を受け付けるときの前記点灯制御手段による前記側面点灯手段の点滅の前に、ユーザに音声の入力を促す情報を報知する、
請求項４に記載の電子機器。
＜請求項６＞
前記電子機器は、前記頭部筐体の上部を点灯させる上部点灯手段を、備える、
請求項１から５までのいずれか１項に記載の電子機器。
＜請求項７＞
ユーザ操作を検知するセンサを備え、
前記点灯制御手段は、前記センサによる前記ユーザ操作を受け付けるときに、前記第１音声データ及び前記第２音声データの音声出力中の色と異なる色で前記上部点灯手段を点滅させる、
請求項６に記載の電子機器。
＜請求項８＞
前記センサによる前記ユーザ操作を受け付けるときの前記点灯制御手段による前記上部点灯手段の点滅の前に、ユーザにユーザ操作を促す情報を報知する、
請求項７に記載の電子機器。
＜請求項９＞
通信機器と通信する通信手段と、
前記通信機器と通信接続して前記通信機器の操作に応じて前記電子機器を制御する通信制御手段と、を備え、
前記点灯制御手段は、前記通信制御手段によって前記電子機器が制御されている場合、前記上部点灯手段を点滅させるときの色と異なる色で前記上部点灯手段を点滅させる、
請求項７又は請求項８に記載の電子機器。
＜請求項１０＞
前記電子機器は、
複数種類の通信方式で通信機器と通信する通信手段を備え、
前記点灯制御手段は、前記通信手段による第１の通信方式の通信中は、複数色のうちから設定された上部設定色で前記上部を前記上部点灯手段により点灯させるとともに、前記通信手段による第２の通信方式の通信中は、前記上部設定色とは異なる色で前記上部を前記上部点灯手段により点灯させる、
請求項６に記載の電子機器。
＜請求項１１＞
前記第１の通信方式は、前記通信機器と直接通信する直接通信方式であり、
前記第２の通信方式は、前記通信機器と中継器を仲介して通信する仲介通信方式である、
請求項１０に記載の電子機器。
＜請求項１２＞
前記電子機器は、前記頭部筐体を支える下部筐体を、備え、
前記下部筐体には、音声出力手段が設けられる、
請求項１から１１までのいずれか１項に記載の電子機器。
＜請求項１３＞
電子機器の制御方法であって、
前記電子機器は、
頭部筐体と、
第１音声データと、第２音声データと、を音声として出力する音声出力手段と、
前記頭部筐体を点灯させる点灯手段と、を備えており、
前記音声出力手段による前記第１音声データの音声出力中は、複数色のうちから設定された設定色で前記頭部筐体を前記点灯手段により点灯又は点滅させるとともに、前記音声出力手段による前記第２音声データの音声出力中は、前記設定色とは異なる色で前記頭部筐体を前記点灯手段により点灯又は点滅させる、
制御方法。
＜請求項１４＞
電子機器の動作制御用プログラムであって、
前記電子機器は、第１音声データと、第２音声データと、を音声として出力する音声出力手段と、頭部筐体を複数色のうちのいずれかの色で点灯させる点灯手段と、点灯制御手段と、を備えており、
前記点灯制御手段に、
前記音声出力手段による前記第１音声データの音声出力中は、複数色のうちから設定された設定色で前記頭部筐体を前記点灯手段により点灯又は点滅させるとともに、前記音声出力手段による前記第２音声データの音声出力中は、前記設定色とは異なる色で前記頭部筐体を前記点灯手段により点灯又は点滅させる、機能を実現させる、
プログラム。
【符号の説明】
【００８２】
１  電子機器
２  通信機器
３  筐体
３ａ  頭部筐体
３ｂ  下部筐体
５  上部点灯手段
６  側面点灯手段
７  音声入力手段
８  音声出力手段
１３  通信手段
１６  制御部
１７  中継器
Ｂ  青色、Ｇ  緑色、Ｙ  黄色
【図１】
2018055078.tif 000003
【図２】
2018055078.tif 000004
【図３】
2018055078.tif 000005
【図４】
2018055078.tif 000006
【図５】
2018055078.tif 000007
【図６】
2018055078.tif 000008
【図７】
2018055078.tif 000009
【図８】
2018055078.tif 000010
【図９】
2018055078.tif 000011
【図１０】
2018055078.tif 000012
【図１１】
2018055078.tif 000013
【図１２】
2018055078.tif 000014
【図１３】
2018055078.tif 000015
【図１４】
2018055078.tif 000016